(57)【特許請求の範囲】
【請求項１】
容器の口の縁に嵌合されるリング、および、このリングにヒンジによって結合され、そして容器の口を閉じる位置のとき該リングに対し押し付けられるふたを備える、容器のヒンジ付きふた装置において、該リングが、前記ヒンジの反対側で別のヒンジによってリングに結合された、タブを有する錠止タブを備え、この錠止タブは、前記ふたに設けられた対応の凹部の中に収まるようになっており、そして容器の閉口に際して前記タブが、前記ふたの凹部の頂面に設けられた窪みの中にパッチンと留められるごとき構成を備え、前記ふたが内スカートを備え、この内スカートに対してシールが当てられることによりふた装置の密封性が確保されることを特徴とするふた装置。
【請求項２】
ポリプロピレンで作られることを特徴とする請求項１のふた装置。
【請求項３】
前記ふたの凹部が、前記錠止窪みの他に、容器閉口の安全性を高くするボスを備えることを特徴とする請求項１または請求項２のいずれかのふた装置。
【請求項４】
前記ふたシールがフォーム材またはフォーム／ボード複合材で作られることを特徴とする請求項１から請求項３までのいずれか１項のふた装置。
【発明の詳細な説明】
【０００１】
【発明の属する技術分野】
本発明は、容器のヒンジ付きふた装置であって、容器の口の縁に嵌合されるリング、および、このリングにヒンジによって結合され、そして容器の口を閉じる位置のとき該リングに対し押付けられるふたを備えるふた装置に関する。
【０００２】
【従来の技術】
特許ＦＲ２，５２９，８６５号は既に、容器の口の縁に密封されるリングと、このリングにヒンジによって結合されるふたを有する、長方形断面の容器のためのヒンジ付きふた装置を記載している。このふた装置は、リングに設けられた突起がふたに設けられた孔に係合する構成の錠止システムを備えている。この構成の欠点は、ふたが閉じられているとき、突起の外し方が前もって解らないために、ふたを開けるのが非常に困難なことである。
【０００３】
【発明が解決しようとする課題】
そこで本発明の課題は、使用者がふたを簡単に開くことができ、そしてまた同時に、一次と二次の両方の密封を良好に確保できるようなヒンジ付きふた装置を提供することである。一次密封というのは、容器の口を最初に開ける以前の密封のことであり、そして二次密封というのはその最初の開口以後の密封のことである。
【０００４】
【課題を解決するための手段】
そのために本発明は、特許請求の範囲の請求項１の前文に記述されるごときヒンジ付きふた装置（ｃｌｏｓｕｒｅ）において、該リングが、前記ヒンジの反対側で別のヒンジによってリングに結合された、タブを有する錠止タブを備え、この錠止タブは、前記ふた（ｌｉｄ）に設けられた対応の凹部の中に収まるようになっており、そして容器の閉口に際して前記タブが、前記ふたの凹部の頂面に設けられた窪みの中にパッチンと留められる（ｃｌｉｐ）ごとき構成を備えるふた装置を提供する。
【０００５】
本明細書において、容器は断面が実質的に矩形または正方形のものであり、従ってふたとリングも実質的に矩形または正方形にされる。容器が矩形断面である場合、その矩形の長辺に沿って２つのヒンジが備えられる。容器はまた実質的に楕円形の断面のものとすることもできるが、この場合もふたとリングは矩形にされ、そしてその楕円の長軸と平行にヒンジが備えられる。
【０００６】
この容器は、何等かのペースト状、粒状、または粉末状の製品、特にインスタントコーヒーの包装に使用することができよう。いうまでもなく化粧品の包装にも使用できる。容器は好適にはガラスまたはそれと同様な材料で作られ、そしてヒンジ付きふた装置はポリプロピレン、ポリオレフィン、またはポリスチレンで作られるが、ポリプロピレンが好適である。本発明のヒンジ付きふた装置は単一の部品（ｓｉｎｇｌｅ  ｐｉｅｃｅ）としても、あるいは２部品（ｔｗｏ  ｐｉｅｃｅｓ）（ふたとリング）としても作ることができ、そして型込め成形または射出成形によって製造される。
【０００７】
本発明においては、錠止タブのタブがふたの窪みの中にパッチンと留められ、そのタブの閉鎖は目ではっきりと見ることができるので閉鎖の安全性を視覚的に確認でき、また留めるときにパッチンと音がするので閉鎖の安全性を聴覚的にも確認できるから、これによっても正確な閉鎖が保証される。
【０００８】
容器の口を最初に開ける前にその口の縁に膜が密封または接着または溶接される。この膜は必要なときに簡単に剥ぎ取ることができる。容器が最初に開口された後、容器の中の製品の感覚的（味、匂い、色等）変質が生じる危険を少なくするため、二次密封を行えるようにしなければならない。
【０００９】
そのために、ふたの内側に内スカートが備えられ、このスカートに対してシールが当てられる。このシールはフォーム材（ｆｏａｍ）またはフォーム／ボード複合材（ｆｏａｍ／ｂｏａｒｄ  ｃｏｍｐｏｓｉｔｅ）で作られる。フォーム材はポリエチレン製で、場合に応じてポリエチレンまたはポリプロピレンのコーティングが付けられよう。フォーム材は、ある程度の圧縮性と、１５０から２５０kg／ｍ3 の密度をもったものにされる。またそのシールの厚さは１から４mmにされる。
【００１０】
閉鎖の確実性をさらに高めるため、ふたの凹部に、錠止窪みの他に、この窪みと平行で同じ長さのボスが備えられる。ふたの凹部の幅、従って錠止タブの幅に比較してタブは実質的にその３分の１にされる。そこで窪みとボスは実質的に同じ寸法にされる。
以下、添付図面を参照に本発明の実施形態を記述する。
【００１１】
【発明の実施形態】
図面に示されるように、本発明のヒンジ付きふた装置１は、容器の口の縁に嵌合されるリング２、および、このリングにヒンジ４によって結合されるふた３を備える。ふた３は、端５、スカート６、および、ふた３の端５に近接して設けられる窪み８をもった凹部７を有する。リング２は、外スカート１１と上縁を有し、この上縁は２つの部分、すなわち外部分１２とこれより隆起された辺部１４を含む。ふた３が閉じられたときそのふた３の下縁１３が外部分１２に対して係合する。隆起辺部１４は、図示の実施形態では４個のキャッチ１５を備える。これらキャッチ１５は、ヒンジ付きふた装置１が容器に取付けられたとき、容器の口の縁に堅く保持されるようにする。本発明によれば、リング２のヒンジ４の反対側に、ふた３の凹部７の幅と実質的に等しい幅の錠止タブ９が備えられる。この錠止タブ９は、ふたの窪み８の中に嵌合するタブ１０を有する。錠止タブ９はヒンジ２０によってリング２に結合される。ふた３の中にシール１８が備えられる。このシールはキャッチ１９によって保持される（図３参照）。
【００１２】
本発明のふた装置の操作は、容器１６に取付けられたそのふた装置を示す図２と関連してよく理解されよう。最初にリング２が押されて容器１６の口の上縁１７に堅く嵌合される。ふた３が図２に示される開き位置から閉じ方向へヒンジ４周りで枢動され、この枢動はスカート６の下部分がリング２の縁の外部分１２上に押付けられるまで行われる。隆起部分１４がふた装置を容器の頚部にしっかりと保持させている。次に錠止タブ９が閉じたふたの方へ押され、そこでタブ１０が窪み８の中にパッチンと留まる。
【００１３】
図３から図５までは図２の部分の断面図であって、その範囲内で最初の２つの図面と同じの要素を使用するものである。すなわちそれら図面はリングとふたが２つの部品にされる実施形態を示す。従って以下の説明は、最初の２つの図面ではまだ加えていなかったものだけについて行う。図３に内スカート２１が示され、この内スカートに対してシール１８が当てられる。このシールはキャッチ１９によってその個所に保持される。図４と図５は、容器１６の上縁１７において、これの頚部に対してリム２２がリング２を堅く保持してリング２が上方へ抜け出るのを防ぎ、またリム２３がそのリングの下方へ滑り落ちるのを防いでいる状態を示している。
【００１４】
図３に示されるようにタブ１０が窪み８の中に留められる。さらに同図から解かるように、シール１８はある程度の弾力性を備えるものにされ、これによりふた３の内スカート２１と容器１６の上縁との間で圧縮されることによって良好な密封を行う。
【００１５】
図４に示されるように、リング２の下部分１２は容器のリム２３に対する限界ストップとして働いてリング２が下方へ滑り落ちるのを防ぎ、そしてリング２の隆起部分１４は容器のリム２２にぶつかってリング２が容器の頚部から抜け出るのを防ぐ。
【００１６】
図５はリング２とふた３が２つの部品として作られることを示す。いずれにしてもふた３はヒンジ４周りで枢動し、また延長部２４を有し、この延長部がリング２に対しパッチンと留め（ｃｌｉｐ）られる。
【００１７】
図６は、タブ１０をもった錠止タブ９と、そのタブ１０が入る窪み８の、これまでの図面に示したものと異なる実施形態の部分拡大図である。すなわち、閉鎖の確実性をさらに高めるため、ふた３に、窪み８の他にボス２５が追加して備えられる。そこで、タブ１０が窪み８の中に入っているとき、それを開けるためにはボス２５を越えるための追加の力が必要になる。
【００１８】
図７は、単一の部品に作られたヒンジ付きふた装置３０を被せた容器１６を示す。リング３１が、ヒンジ３３によって結合されたふた３２を受ける。ふた３２は内スカート３４を有する。この図面ではシールは示されていない。リング３１は、ヒンジ３６周りで枢動する錠止タブ３５を備える。この錠止タブはタブ３７を有し、このタブは、ふた３２の凹部３９内に設けられた窪み３８の中にパッチンと留められる。
【００１９】
本発明では、ふたと錠止タブとの両方がヒンジを備えている。いうまでもなく、それらに使用されるプラスチックは少なくとも３００回の開閉操作にも破断しない強度をもったものでなければならない。いずれの場合もポリプロピレンが好適である。しかし、いうまでもなく、その他の材料もその目的に使用できよう。
【図面の簡単な説明】
【図１】本発明によるヒンジ付きふた装置の斜視図である。
【図２】容器に取付けられたヒンジ付きふた装置の開き位置にあるときの概略図である。
【図３】本発明のヒンジ付きふた装置の閉じ位置にあるときの部分中心断面図である。
【図４】図３の断面図のＡ部分の拡大図である。
【図５】図３の断面図のＢ部分の拡大図である。
【図６】第２実施形態の図３の断面図のＣ部分の拡大図である。
【図７】リングとふたが単一部品として作られる場合の本発明のふた装置の部分中心断面図である。
【符号の説明】
１  ふた装置
２  リング
３  ふた
４  ヒンジ
５  端
６  スカート
７  凹部
８  窪み
９  錠止タブ
１０  タブ
１１  外スカート
１２  外部分
１３  下縁
１４  隆起辺部
１５  キャッチ
１６  容器
１８  シール
１９  キャッチ
２０  ヒンジ
２１  内スカート
２４  延長部
２５  ボス
３０  ふた装置
３１  リング
３２  ふた
３３  ヒンジ
３４  内スカート
３５  錠止タブ
３６  ヒンジ
３７  タブ
３８  窪み
３９  凹部
【図１】
0003738096.tif 000002
【図２】
0003738096.tif 000003
【図３】
0003738096.tif 000004
【図４】
0003738096.tif 000005
【図５】
0003738096.tif 000006
【図６】
0003738096.tif 000007
【図７】
0003738096.tif 000008